(57)【要約】【課題】個人がマルチメディアを視聴して楽しんだ時に、その視聴履歴から自動的にその個人の嗜好に合わせたプレイリストを作成する。これらの自分の嗜好に合わせて作成したプレイリストを、携帯電話等のパーソナルで且つ自由に持ち運びが可能な機器に記憶させて保管し、この携帯電話に記憶保管しているプレイリストを外出先、例えば友人宅や宿泊先のホテル等で読み出し、マルチメディアコンテンツの再生を行う。【解決手段】所定の映像音声記録媒体を所定の映像音声再生装置に装着して行われた操作の履歴に関する情報に基いて作成されたカスタマイズ情報を元に、前記所定の映像音声記録媒体を他の映像音声再生装置に装着した時に、カスタマイズ情報が表す再生された内容と同一内容の再生を行わせるためのキー操作を示す情報を作成し、作成したキー操作を示す情報を前記他の映像音声再生装置に入力する。【選択図】  図１
2005004936.tif 000002
【特許請求の範囲】
【請求項１】
所定の映像音声記録媒体を所定の映像音声再生装置に装着して行われた操作の履歴に関する情報に基いて作成された、前記所定の映像音声記録媒体に記録された映像音声情報が前記所定の映像音声再生装置で再生された内容を表すカスタマイズ情報、が記録された情報記録媒体から前記カスタマイズ情報を読み出す手段と、
前記所定の映像音声記録媒体を装着して再生を行う他の映像音声再生装置の機種情報を入力する手段と、
前記所定の映像音声記録媒体を前記入力した機種情報が示す前記他の映像音声再生装置に装着した時に、前記読み出したカスタマイズ情報が表す前記再生された内容と同一内容の再生を行わせるためのキー操作を示す情報を作成する手段と、
前記作成したキー操作を示す情報を前記他の映像音声再生装置に送信する手段と、
を有する端末装置。
【請求項２】
所定の映像音声記録媒体を所定の映像音声再生装置に装着して行われた操作の履歴に関する情報を受信する手段と、
前記受信した操作の履歴に関する情報に基いて、前記所定の映像音声記録媒体に記録された映像音声情報が前記所定の映像音声再生装置で再生された内容を表すカスタマイズ情報を作成する手段と、
前記所定の映像音声記録媒体を装着して再生を行う他の映像音声再生装置の機種情報を入力する手段と、
前記所定の映像音声記録媒体を前記入力した機種情報が示す前記他の映像音声再生装置に装着した時に、前記作成したカスタマイズ情報が表す前記再生された内容と同一内容の再生を行わせるためのキー操作を示す情報を作成する手段と、
前記作成したキー操作を示す情報を前記他の映像音声再生装置に送信する手段と、
を有するサーバ装置。
【請求項３】
所定の映像音声記録媒体を装着して行われた操作の履歴に関する情報に基いて、前記所定の映像音声記録媒体に記録された映像音声情報が再生された内容を表すカスタマイズ情報を作成し、前記作成したカスタマイズ情報を情報記録媒体に記録する映像音声再生装置と、
前記情報記録媒体から前記カスタマイズ情報を読み出し、
前記所定の映像音声記録媒体を装着して再生を行う他の映像音声再生装置の機種情報を入力し、
前記所定の映像音声記録媒体を前記入力した機種情報が示す前記他の映像音声再生装置に装着した時に、前記読み出したカスタマイズ情報が表す前記再生された内容と同一内容の再生を行わせるためのキー操作を示す情報を作成し、
前記作成したキー操作を示す情報を前記他の映像音声再生装置に送信する端末装置と、
を有する映像音声再生システム。
【請求項４】
前記キー操作を示す情報は、前記操作の履歴に関する情報から不必要な操作を削除し、必要な操作だけを前記機種情報が示す他の映像音声再生装置で可能な操作で実現するように置き換えたキー操作を示す情報である、
請求項１に記載の端末装置。
【請求項５】
前記キー操作を示す情報は、前記操作の履歴に関する情報から不必要な操作を削除し、必要な操作だけを前記機種情報が示す他の映像音声再生装置で可能な操作で実現するように置き換えたキー操作を示す情報である、
請求項２に記載のサーバ装置。
【請求項６】
前記キー操作を示す情報は、前記操作の履歴に関する情報から不必要な操作を削除し、必要な操作だけを前記機種情報が示す他の映像音声再生装置で可能な操作で実現するように置き換えたキー操作を示す情報である、
請求項３に記載の映像音声再生システム。
【請求項７】
前記カスタマイズ情報は、前記所定の映像音声記録媒体に記録された前記映像音声情報を識別するための識別データと前記再生された内容である再生順序を表す情報である、
請求項１又は請求項４に記載の端末装置。
【請求項８】
前記カスタマイズ情報は、前記所定の映像音声記録媒体に記録された前記映像音声情報を識別するための識別データと前記再生された内容である再生順序を表す情報である、
請求項２又は請求項５に記載のサーバ装置。
【請求項９】
前記カスタマイズ情報は、前記所定の映像音声記録媒体に記録された前記映像音声情報を識別するための識別データと前記再生された内容である再生順序を表す情報である、
請求項３又は請求項６に記載の映像音声再生システム。
【請求項１０】
前記カスタマイズ情報は、前記所定の映像音声記録媒体に記録された前記映像音声情報を識別するための識別データと前記再生された内容である表示方向を表す情報である、
請求項１又は請求項４に記載の端末装置。
【請求項１１】
前記カスタマイズ情報は、前記所定の映像音声記録媒体に記録された前記映像音声情報を識別するための識別データと前記再生された内容である表示方向を表す情報である、
請求項２又は請求項５に記載のサーバ装置。
【請求項１２】
前記カスタマイズ情報は、前記所定の映像音声記録媒体に記録された前記映像音声情報を識別するための識別データと前記再生された内容である表示方向を表す情報である、
請求項３又は請求項６に記載の映像音声再生システム。
【発明の詳細な説明】
【０００１】
【発明の属する技術分野】
本特許出願に係る発明（以後単に本発明とも言う）は、映像音声記録媒体（例えば、ＤＶＤ：デジタルビデオディスクやＣＤ：コンパクトディスク等）で、特に装置から記録媒体だけを着脱可能な映像音声記録媒体であり、更に複数の映像音声コンテンツを記録することができる映像音声記録媒体に記録された映像音声情報を、映像音声再生装置に装着して行われた操作履歴情報を保存し、この情報から、このユーザがこの映像音声記録媒体を利用する時の特性、例えばこの映像音声記録媒体に記録された音楽コンテンツを再生する時の嗜好や再生順序や、或いはこの映像音声記録媒体に記録された画像情報を再生する時の表示角度を表す情報を作成し、この情報をこの映像音声記録媒体を再生することができる他の映像音声再生装置で利用可能なフォーマットに変換し、前記ユーザの特性に応じた再生が前記他の映像音声再生装置にこの映像音声記録媒体が装着された時にも自動的に可能なようにすることのできる、端末装置、サーバ装置、映像音声再生システムに関するものである。
【０００２】
【従来の技術】
従来の例えば、映像音声記録媒体に記録された映像音声情報を、映像音声再生装置に装着して行われた操作履歴情報を保存し、この情報をこの映像音声記録媒体を再生することができる他の映像音声再生装置に送信し、この映像音声記録媒体がこの他の映像音声再生装置に装着された時にも前の操作履歴が示す再生と同一再生が自動的に実行可能な映像音声再生システムには、例えば下記特許文献１に記載されたデータ送出装置があった。
【０００３】
この従来の映像音声再生システムの一実施の形態を含むデータ送出装置について、図１６と図１７を使って説明する。
【０００４】
このデータ送出装置を含むＣＡＴＶサービス全体のシステム構成を図１６に示す。
【０００５】
このＣＡＴＶサービスで提供される映像音声素材は、ＣＡＴＶサービスの親局９１０に設置されたＰＣ９１２で作成され、ビデオサーバ９１４に蓄積される。
【０００６】
この蓄積された映像音声素材の内容は、ＬＡＮ９１７を介してモニタ９１３で確認することもできる。
【０００７】
同様に、これらビデオサーバに蓄積された映像音声素材の再生手順（プレイリスト）、例えば或る所定の日の午後０時から午後３時までの再生手順は、やはり親局９１０に設置されたＰＣ９１２で作成され、ＰＣ９１２内部の記憶部（図示せず）に記憶される。
【０００８】
このプレイリストの例を図１７に示す。
【０００９】
図１７に示すプレイリストは、ビデオサーバに装着されたメディア番号がＡ１２３のメディアに記録されている「京都旅行Ａ」と言うタイトルの旅行案内コンテンツが０時０分０秒から０時３０分０秒まで０時間３０分０秒間再生され、メディア番号がＦ５４３のメディアに記録されている「Ｂ社ＣＭ」と言うタイトルのコマーシャルコンテンツが０時３０分０秒から０時３２分０秒まで０時間２分０秒間再生され、メディア番号がＣ００２のメディアに記録されている「ニュースＣ」と言うタイトルのニュースコンテンツが０時３２分０秒から０時４５分０秒まで０時間１３分０秒間再生され、メディア番号がＥ３４９のメディアに記録されている「ドラマＤ」と言うタイトルのドラマコンテンツが０時４５分０秒から２時１５分０秒まで１時間３０分０秒間再生され、メディア番号がＸＺ０３のメディアに記録されている「スポーツＥ」と言うタイトルのスポーツ番組コンテンツが２時１５分０秒から３時０分０秒まで０時間４５分０秒間再生されることを示している。
【００１０】
これら親局９１０が有する映像音声素材とその素材の再生手順は、これらの素材をＣＡＴＶネットワーク９７２、ＣＡＴＶネットワーク９７３、その他のＣＡＴＶネットワークに送出するＣＡＴＶサービスの支局９２０、支局９３０、支局９４０、支局９５０、支局９６０に対して、広域ネットワーク９７０を使って配信される。
【００１１】
具体的には、親局９１０に設置されたＰＣ９１２は、まずＰＣ９１２内部の記憶部に記憶している或る時刻に該当するプレイリストを読み出す。このプレイリストの例が図１７で示されることは上記の通りである。
【００１２】
次にＰＣ９１２は、ＬＡＮ９１７を経由してビデオサーバからプレイリストに挙げられているメディアに記録された映像音声素材を順次読み出し、これら映像音声素材をＬＡＮ９１７、ルータ９１６を経由し、広域ネットワーク９７０を使って支局９２０、支局９３０、支局９４０、支局９５０、支局９６０に配信する。
【００１３】
各支局の構成は本質的に同一であるから、支局９２０についてのみその詳細を図１６に示し、支局９２０についてのみ説明を行うが、他の支局についても同様である。
【００１４】
支局９２０では、ＰＣ９２２が、広域ネットワークを使って配信された映像音声素材をルータ９２６、ＬＡＮ９２７を経由して受信し、ＬＡＮ９２７を介してビデオサーバ９２４に蓄積する。
【００１５】
この映像音声素材の内容は、ＬＡＮ９２７を介してモニタ９２３で確認することもできる。
【００１６】
同様に、親局９１０に設置されたＰＣ９１２は、プレイリストをＬＡＮ９１７、ルータ９１６を経由し、広域ネットワーク９７０を使って、支局９２０、支局９３０、支局９４０、支局９５０、支局９６０に配信する。
【００１７】
支局９２０では同様に、ＰＣ９２２が、広域ネットワークを使って配信されたプレイリストをルータ９２６、ＬＡＮ９２７を経由して受信し、内部の記憶部（図示せず）に記憶する。
【００１８】
予め定められた時刻、即ち例えば図１７に示すプレイリストが規定する時刻になると、親局９１０のＰＣ９１２や支局９２０のＰＣ９２２は、そのプレイリストに規定されている通りの再生をビデオサーバ９１４やビデオサーバ９２４から映像音声素材を読み出して行い、その再生された映像音声をＬＡＮ９１７、ＬＡＮ９２７、ヘッドエンド９１５、ヘッドエンド９２５を経由して、それぞれＣＡＴＶネットワーク９７２、ＣＡＴＶネットワーク９７３に対して出力する。
【００１９】
このＣＡＴＶサービスに加入している家庭やその他では、この送出された映像音声素材を所定の受信機を使って視聴することができる。
【００２０】
【特許文献１】
特開２００１−２３０７４１号公報
【００２１】
【発明が解決しようとする課題】
しかしながら上記のような映像音声再生システムであるデータ送出装置では、プレイリストの作成はＰＣ９１２を使って専門家の手によって行われることが前提であり、例えば家庭で個人がマルチメディアコンテンツが記録されたマルチメディアを視聴して楽しんだ時に、その視聴履歴から自動的にその個人の嗜好を抽出し、その個人の嗜好に合わせたプレイリストを自動的に作成することはできなかった。
【００２２】
更に、上記のような映像音声再生システムであるデータ送出装置では、親局９１０に設置されたＰＣ９１２、ビデオサーバ９１４と支局９２０に設置されたＰＣ９２２、ビデオサーバ９２４とは同一機種であることが前提とされており、例えば家庭で個人がマルチメディアコンテンツが記録されたマルチメディアを視聴して楽しんだ時に、そのマルチメディアを他の機種の再生装置でも同様に、自分の嗜好に合わせた楽しみ方を自動的に行うことはできなかった。
【００２３】
更に又、これらの自分の嗜好に合わせて作成したプレイリストを、携帯電話等のパーソナルで且つ自由に持ち運びが可能な機器に記憶させて保管し、例えばこの携帯電話に記憶保管しているプレイリストを外出先、例えば友人宅や宿泊先のホテル等で読み出し、その友人宅やホテルにある再生装置でそのプレイリストに従ってマルチメディアコンテンツの再生を行うこともできなかった。
【００２４】
【課題を解決するための手段】
上記課題を解決するため、本特許出願に係る請求項１に記載の発明は、所定の映像音声記録媒体を所定の映像音声再生装置に装着して行われた操作の履歴に関する情報に基いて作成された、前記所定の映像音声記録媒体に記録された映像音声情報が前記所定の映像音声再生装置で再生された内容を表すカスタマイズ情報、が記録された情報記録媒体から前記カスタマイズ情報を読み出す手段と、前記所定の映像音声記録媒体を装着して再生を行う他の映像音声再生装置の機種情報を入力する手段と、前記所定の映像音声記録媒体を前記入力した機種情報が示す前記他の映像音声再生装置に装着した時に、前記読み出したカスタマイズ情報が表す前記再生された内容と同一内容の再生を行わせるためのキー操作を示す情報を作成する手段と、前記作成したキー操作を示す情報を前記他の映像音声再生装置に送信する手段と、を有する端末装置である。
【００２５】
本特許出願に係る請求項２に記載の発明は、所定の映像音声記録媒体を所定の映像音声再生装置に装着して行われた操作の履歴に関する情報を受信する手段と、前記受信した操作の履歴に関する情報に基いて、前記所定の映像音声記録媒体に記録された映像音声情報が前記所定の映像音声再生装置で再生された内容を表すカスタマイズ情報を作成する手段と、前記所定の映像音声記録媒体を装着して再生を行う他の映像音声再生装置の機種情報を入力する手段と、前記所定の映像音声記録媒体を前記入力した機種情報が示す前記他の映像音声再生装置に装着した時に、前記作成したカスタマイズ情報が表す前記再生された内容と同一内容の再生を行わせるためのキー操作を示す情報を作成する手段と、前記作成したキー操作を示す情報を前記他の映像音声再生装置に送信する手段と、を有するサーバ装置である。
【００２６】
本特許出願に係る請求項３に記載の発明は、所定の映像音声記録媒体を装着して行われた操作の履歴に関する情報に基いて、前記所定の映像音声記録媒体に記録された映像音声情報が再生された内容を表すカスタマイズ情報を作成し、前記作成したカスタマイズ情報を情報記録媒体に記録する映像音声再生装置と、前記情報記録媒体から前記カスタマイズ情報を読み出し、前記所定の映像音声記録媒体を装着して再生を行う他の映像音声再生装置の機種情報を入力し、前記所定の映像音声記録媒体を前記入力した機種情報が示す前記他の映像音声再生装置に装着した時に、前記読み出したカスタマイズ情報が表す前記再生された内容と同一内容の再生を行わせるためのキー操作を示す情報を作成し、前記作成したキー操作を示す情報を前記他の映像音声再生装置に送信する端末装置と、を有する映像音声再生システムである。
【００２７】
本特許出願に係る請求項４に記載の発明は、前記キー操作を示す情報は、前記操作の履歴に関する情報から不必要な操作を削除し、必要な操作だけを前記機種情報が示す他の映像音声再生装置で可能な操作で実現するように置き換えたキー操作を示す情報である、請求項１に記載の端末装置である。
【００２８】
本特許出願に係る請求項５に記載の発明は、前記キー操作を示す情報は、前記操作の履歴に関する情報から不必要な操作を削除し、必要な操作だけを前記機種情報が示す他の映像音声再生装置で可能な操作で実現するように置き換えたキー操作を示す情報である、請求項２に記載のサーバ装置である。
【００２９】
本特許出願に係る請求項６に記載の発明は、前記キー操作を示す情報は、前記操作の履歴に関する情報から不必要な操作を削除し、必要な操作だけを前記機種情報が示す他の映像音声再生装置で可能な操作で実現するように置き換えたキー操作を示す情報である、請求項３に記載の映像音声再生システムである。
【００３０】
本特許出願に係る請求項７に記載の発明は、前記カスタマイズ情報は、前記所定の映像音声記録媒体に記録された前記映像音声情報を識別するための識別データと前記再生された内容である再生順序を表す情報である、請求項１又は請求項４に記載の端末装置である。
【００３１】
本特許出願に係る請求項８に記載の発明は、前記カスタマイズ情報は、前記所定の映像音声記録媒体に記録された前記映像音声情報を識別するための識別データと前記再生された内容である再生順序を表す情報である、請求項２又は請求項５に記載のサーバ装置である。
【００３２】
本特許出願に係る請求項９に記載の発明は、前記カスタマイズ情報は、前記所定の映像音声記録媒体に記録された前記映像音声情報を識別するための識別データと前記再生された内容である再生順序を表す情報である、請求項３又は請求項６に記載の映像音声再生システムである。
【００３３】
本特許出願に係る請求項１０に記載の発明は、前記カスタマイズ情報は、前記所定の映像音声記録媒体に記録された前記映像音声情報を識別するための識別データと前記再生された内容である表示方向を表す情報である、請求項１又は請求項４に記載の端末装置である。
【００３４】
本特許出願に係る請求項１１に記載の発明は、前記カスタマイズ情報は、前記所定の映像音声記録媒体に記録された前記映像音声情報を識別するための識別データと前記再生された内容である表示方向を表す情報である、請求項２又は請求項５に記載のサーバ装置である。
【００３５】
本特許出願に係る請求項１２に記載の発明は、前記カスタマイズ情報は、前記所定の映像音声記録媒体に記録された前記映像音声情報を識別するための識別データと前記再生された内容である表示方向を表す情報である、請求項３又は請求項６に記載の映像音声再生システムである。
【００３６】
【発明の実施の形態】
本特許出願に係る発明である端末装置及びサーバ装置及び映像音声再生システムの実施の形態を、図面を使って詳細に説明する。
【００３７】
（実施の形態１）
図１の多機能リモコン１２３は本発明の端末装置の実施の形態１であり、マルチメディアプレーヤ１１３は本発明に係る映像音声再生装置の実施の形態１であり、ＳＤカード１１９は本発明に係る情報記録媒体の実施の形態１である。
【００３８】
マルチメディアプレーヤ１１３は例えば映像コンテンツや音楽コンテンツが複数記録されたＤＶＤ（デジタルビデオディスク）やＣＤ（コンパクトディスク）を再生部１１４に装着し、操作部１１５によって行われる操作に従って前記装着されたＤＶＤやＣＤに記録された映像コンテンツや音楽コンテンツを再生部１１４が再生し、再生された映像コンテンツや音楽コンテンツをモニタ画面（図示せず）やスピーカ（図示せず）を使って視聴し、観賞するものである。
【００３９】
上記ＤＶＤやＣＤは、本発明に係る映像音声記録媒体の一例であって、磁気的手段、光学的手段、半導体デバイス、これらの組み合わせによって映像コンテンツや音楽コンテンツを複数記憶可能なものならば何でも構わないし、必ずしも記録媒体は着脱可能なものであることは必要でなく、例えばＨＤＤ（ハードディスクドライブ）のように記録媒体が固定されたものであっても構わない。
【００４０】
前記の通り、このＤＶＤやＣＤには複数の映像コンテンツや音楽コンテンツが記録されているので、ユーザはその記録されたコンテンツの中から自分の好みに応じて、適宜コンテンツを選択し、好みの順番に再生し、視聴し、観賞することができる。
【００４１】
このように好みのコンテンツを選択し、好みの順番に視聴する操作の例を図３と図４を使って説明する。
【００４２】
ユーザはマルチメディアプレーヤ１１３の操作部１１５を操作して「再生モードキー（図示せず）」を押下する（図３、３０１）。
【００４３】
この操作によって、図４（ａ）の画面がマルチメディアプレーヤ１１３の表示部（図示せず）に表示される（図３、３０２）。
【００４４】
この状態では、図４（ａ）に示すように、カーソルは「１」を指している。
【００４５】
この状態で「選択キー（図示せず）」を押下する（図３、３０３）と、１番のコンテンツが再生対象として選択され（図３、３０４）、図４（ｂ）に示すように、選択トラック表示部に「１」が表示される。
【００４６】
次に「下矢印キー」を２回押下し（図３、３０５）、「右矢印キー」を押下する（図３、３０６）と、カーソルは「９」を指し、マルチメディアプレーヤ１１３の表示部には図４（ｂ）が表示される（図３、３０７）。
【００４７】
この状態で「選択キー」を押下する（図３、３０８）と、９番のコンテンツが再生対象として選択され（図３、３０９）、図４（ｃ）に示すように、選択トラック表示部に「１」と「９」が表示される。
【００４８】
次に「右矢印キー」を押下し（図３、３１０）、「上矢印キー」を押下する（図３、３１１）と、カーソルは「１４」を指し、マルチメディアプレーヤ１１３の表示部には図４（ｃ）が表示される（図３、３１２）。
【００４９】
この状態で「選択キー」を押下する（図３、３１３）と、１４番のコンテンツが再生対象として選択され（図３、３１４）、選択トラック表示部に「１」と「９」と「１４」とが表示される（図示せず）。
【００５０】
しかしここで、この１４番のコンテンツの選択が間違いであったとすると、ユーザが「下矢印キー」を４回押下する（図３、３１５）ことによって、カーソルは「ラストクリア」を指す（図示せず）。
【００５１】
この状態で「選択キー」が押下される（図３、３１６）と、最後に選択した１４番のコンテンツの選択が解除され（図３、３１７）、選択トラック表示部の表示は「１」と「９」の表示に戻る（図４（ｃ））。
【００５２】
次に例えば「右矢印キー」を押下した（図３、３１８）とすると、カーソルは既に右端の番号を指しているため、これ以上右へ移動することはできず、この「右矢印キー」の押下を無視する（図３、３１９）。
【００５３】
次に１回「上矢印キー」を押下する（図３、３２０）と、カーソルは「１７」を示し、図４（ｄ）の画面が表示される（図３、３２１）。
【００５４】
この状態で「選択キー」を押下する（図３、３２２）と、１７番のコンテンツが再生対象として選択され（図３、３２３）、選択トラック表示部に「１」と「９」と「１７」とが表示される（図示せず）。
【００５５】
最後に操作部１１５の「再生キー（図示せず）」を押下する（図３、３２４）と、これまでの操作で作成されたプレイリストに従って、選択されたコンテンツの再生が行われる（図３、３２５）。
【００５６】
今の例では、１番、９番、１７番のコンテンツが選択されているので、この３つのコンテンツがこの順番に再生される。この再生制御は、図１に示すマルチメディアプレーヤ１１３の制御部１１６によって行われる。
【００５７】
以上説明した操作によって、図６（ａ）に示す、キー操作の履歴情報が作成される。このキー操作の履歴情報は、本発明に係る操作の履歴に関する情報の実施の形態１であり、このキー操作の履歴情報を作成するのも図１に示すマルチメディアプレーヤ１１３の制御部１１６である。
【００５８】
このキー操作の履歴情報に基いて、本発明に係るカスタマイズ情報が、図１に示すマルチメディアプレーヤ１１３のカスタマイズ情報作成部１１７によって作成される。
【００５９】
このカスタマイズ情報の実施の形態１を、図５のＮｏが１の行に示す。
【００６０】
この図５のＮｏが１の行に示すカスタマイズ情報の実施の形態１は、マルチメディアプレーヤ１１３の再生部１１４で再生されたのは、「ＣｈｉｒｉｓｔｍａｓＳｏｎｇ」と言う名前のディスク記録媒体であり、そのディスク記録媒体の種別はＣＤＤＡ（デジタルオーディオ用ＣＤ）であり、記録されているコンテンツの種類はオーディオであり、このカスタマイズ情報が登録された年月日、カスタマイズ情報の登録に使われたマルチメディアプレーヤ１１３の機種タイプ情報、このディスク記録媒体に記録されている全てのコンテンツのタイトル数、全タイトル中の登録されているプログラムの数、登録されているプログラム番号のリスト、以上から構成されている。
【００６１】
このようにして作成されたカスタマイズ情報の実施の形態１は、操作部１１５で行われる所定の操作に従い、制御部１１６の制御によって、カスタマイズ情報作成部１１７からＳＤカードインターフェース１１８を経て、ＳＤカード１１９に書き込まれる。
【００６２】
但し、ＳＤカード１１９に書き込まれるカスタマイズ情報の実施の形態１は、図５のＮｏが１の行に示す１つのディスク記録媒体のコンテンツ再生時のキー操作の履歴情報に基く情報だけであるとは限らず、例えば図５のＮｏが２の行、Ｎｏが３の行、Ｎｏが４の行、に示すように、複数のディスク記録媒体のコンテンツ再生時のキー操作の履歴情報に基く情報を含む時には、これら複数の情報の全て又は一部がＳＤカード１１９に書き込まれる実施の形態もある。
【００６３】
上記の通り、ＳＤカード１１９は本発明に係る情報記録媒体の実施の形態１であるが、本発明に係る情報記録媒体は必ずしもＳＤカードであることは必要でなく、各種半導体メモリを含むＩＣカードメモリや、磁気的手段で情報を記録することのできる磁気カードや、その他各種手段で情報の記録再生ができる着脱可能な情報記録媒体であるならば、どのようなものであっても構わない。
【００６４】
このカスタマイズ情報の実施の形態１が記録されたＳＤカード１１９は、多機能リモコン１２３のＳＤカードインターフェース１２８に装着され、ＳＤカード１１９に記録されたカスタマイズ情報の実施の形態１が多機能リモコン１２３の制御部１２６によって読み出され、記憶される。
【００６５】
この多機能リモコン１２３は本発明の端末装置の実施の形態１である。
【００６６】
この多機能リモコン１２３では、操作部１２５で行われる操作に従って、マルチメディアプレーヤ１３４やマルチメディアプレーヤ１３５の操作を行うことができる。
【００６７】
このマルチメディアプレーヤ１３４やマルチメディアプレーヤ１３５は、本発明に係る他の映像音声再生装置の実施の形態１である。
【００６８】
多機能リモコン１２３を使ってマルチメディアプレーヤ１３４やマルチメディアプレーヤ１３５を操作する第１の方法は、多機能リモコン１２３の操作部１２５でマルチメディアプレーヤ１３４やマルチメディアプレーヤ１３５を操作する指示を直接入力し、この入力された指示に相当する信号を通信部１２４からマルチメディアプレーヤ１３４やマルチメディアプレーヤ１３５に送り、マルチメディアプレーヤ１３４やマルチメディアプレーヤ１３５ではその送られた信号を受信し、その送られた信号の示す指示内容を解析し、その解析した指示内容が示す動作を行わせる方法であるが、この方法は本発明の本質とは直接関係しないので詳細な説明は省略する。
【００６９】
只、操作部１２５によって入力された指示内容を示す信号をマルチメディアプレーヤ１３４やマルチメディアプレーヤ１３５に送信する通信部１２４は、例えば赤外線を使ってワイヤレスで情報を通信するものであるが、必ずしも赤外線を使うことは必要でなく、電波によってワイヤレスで情報を通信するものであっても構わないし、情報通信用のケーブルを使って情報を通信するものであっても構わない。
【００７０】
多機能リモコン１２３を使ってマルチメディアプレーヤ１３４やマルチメディアプレーヤ１３５を操作する第２の方法は、多機能リモコン１２３の制御部１２６が、ＳＤカード１１９に記録されたカスタマイズ情報の実施の形態１を読み出し、記憶している、そのカスタマイズ情報の実施の形態１が示すディスク記録媒体のコンテンツ再生時のキー操作の履歴情報に基く情報から、多機能リモコン１２３のキー操作復元部１２７が、そのキー操作によって行われたコンテンツ再生と同じコンテンツ再生を前記他の映像音声再生装置の実施の形態１であるマルチメディアプレーヤ１３４やマルチメディアプレーヤ１３５によって行うためのキー操作を復元し、その復元したキー操作のリストを通信部１２４からマルチメディアプレーヤ１３４やマルチメディアプレーヤ１３５に送ることによって、その復元したキー操作が示す内容の再生を行わせる方法である。
【００７１】
多機能リモコン１２３において、このキー操作の復元を主として行うキー操作復元部１２７の詳細なブロック構成を、図２に示す。
【００７２】
この方法によると、ユーザが前にマルチメディアプレーヤ１１３を使い、自分の好みに応じて再生するコンテンツを選択し、自分の好みに応じて再生する順序を決定したのと、同じコンテンツを同じ順序で、他の映像音声再生装置の実施の形態１であるマルチメディアプレーヤ１３４やマルチメディアプレーヤ１３５でも再生することができる。
【００７３】
しかもユーザは全くそのことを意識せず、又何等かの操作をすることも必要ではない。
【００７４】
しかしこれを行うには、ユーザは操作部１２５を使って、例えばマルチメディアプレーヤ１３４に装着したディスク記録媒体の名前を入力しなければならない。
【００７５】
例えばユーザが、マルチメディアプレーヤ１３４に装着したディスク記録媒体の名前として、操作部１２５を使って「ＣｈｉｒｉｓｔｍａｓＳｏｎｇ」と入力すると、キー操作復元部１２７の再生情報選択部２２１は、制御部１２６が記憶しているカスタマイズ情報の実施の形態１から、そのディスク識別子が「ＣｈｉｒｉｓｔｍａｓＳｏｎｇ」であるカスタマイズ情報の実施の形態１を取り出し、このディスク記録媒体を再生した時のキー操作の履歴情報に基く情報からキー操作を復元する。
【００７６】
更に又、ユーザは操作部１２５を使って、例えばマルチメディアプレーヤ１３４のプレーヤタイプを入力しなければならない。
【００７７】
ディスク識別子が「ＣｈｉｒｉｓｔｍａｓＳｏｎｇ」であるカスタマイズ情報の実施の形態１を取り出し、このディスク記録媒体を再生した時と同じ再生を行うキー操作を復元するには、その再生を行うプレーヤのタイプが解ることが必要だからである。
【００７８】
例えば、ユーザが操作部１２５を使って、マルチメディアプレーヤ１３４のプレーヤタイプを「ＰａｎａＮｅｗ１００」と入力したならば、マルチメディアプレーヤ１１３とマルチメディアプレーヤ１３４は同じタイプのマルチメディアプレーヤであるから、マルチメディアプレーヤ１１３の操作時と同じキー操作を復元すれば良い。
【００７９】
しかしこのケースであっても、例えば、図３の３１８で行ったような、既にカーソルが画面の右端を指しているにも拘わらず、更にカーソルを右へ移動させるための「右矢印キー」を押下するような不必要なキー操作は復元する必要がない。
【００８０】
更に又、例えば図３の３１３から３１７で行ったような、一旦トラック１４のコンテンツを選択し、その後そのコンテンツの選択を取り消すような操作も不必要な操作であり、このようなキー操作も復元する必要はない。
【００８１】
即ち、多機能リモコン１２３のキー操作復元部１２７が復元するキー操作は、前にマルチメディアプレーヤ１１３で行ったキー操作履歴に関する情報から不必要な操作を削除し、必要な操作だけをマルチメディアプレーヤ１３４で可能なキー操作で実現するように置き換えたものである。
【００８２】
このようにマルチメディアプレーヤのタイプを判断するのは、プログラムリスト再構築キー操作変換部２２２のプレーヤタイプ判断部２２４である。
【００８３】
そして判断された各プレーヤのタイプに対応したキー操作の復元を行うのは、プレーヤタイプＡ変換部２２５、プレーヤタイプＢ変換部２２６、プレーヤタイプＣ変換部２２７である。
【００８４】
例えば前記マルチメディアプレーヤ１１３がプレーヤタイプＡであったとすると、プレーヤタイプ判断部２２４が、ユーザが操作部１２５を使って入力したプレーヤタイプに関する情報からこのプレーヤタイプの判断を行い、その結果プレーヤタイプＡと判断して、プレーヤタイプＡ変換部２２５にキー操作の復元を行うよう指示を行う。
【００８５】
又、キー操作復元部１２７には、プログラムリスト再構築キー操作変換部２２２と、表示方向再構築キー操作変換部２３２が含まれる。
【００８６】
このプログラムリスト再構築キー操作変換部２２２はオーディオコンテンツの再生を中心に、キー操作の復元を行い、表示方向再構築キー操作変換部２３２は画像コンテンツの再生を中心に、キー操作の復元を行う。
【００８７】
画像コンテンツの再生を中心にキー操作の復元を行う表示方向再構築キー操作変換部２３２に関しては、本発明の実施の形態３と本発明の実施の形態４で詳細に説明する。
【００８８】
そこで例えばこの実施の形態１では、操作部１２５によって入力されたこのマルチメディアプレーヤ１３４のプレーヤタイプに関する情報から、このマルチメディアプレーヤ１３４のプレーヤタイプがＡであり、このプレーヤタイプＡでは、選択し再生するコンテンツのトラック番号を直接入力することが可能であることが解ったとする。
【００８９】
このケースで、ディスク識別子が「ＣｈｉｒｉｓｔｍａｓＳｏｎｇ」であるカスタマイズ情報の実施の形態１を基に、キー操作復元部１２７によって復元されるキー操作のリストを図６（ｂ）に示す。
【００９０】
このカスタマイズ情報の実施の形態１から再生するコンテンツはそのトラック番号が１と９と１７のものであり、再生順序もトラック番号が１、９、１７の順であることが解る。
【００９１】
そして前記の通り、このマルチメディアプレーヤ１３４では、選択し再生するコンテンツのトラック番号を直接入力することが可能であるので、図６（ｂ）に示すキー操作によって、トラック番号１、９、１７のコンテンツがこの順番で再生され、ディスク識別子が「ＣｈｉｒｉｓｔｍａｓＳｏｎｇ」であるカスタマイズ情報が示す再生と同じ再生が実現される。
【００９２】
このキー操作とは、「再生モードキー」によって再生するコンテンツを選択するモードになり、「１」キーによってトラック番号１のコンテンツを選択し、「９」キーによってトラック番号９のコンテンツを選択し、「１７」キーによってトラック番号１７のコンテンツを選択し、その後「再生キー」を押下することである。
【００９３】
以上のキー操作によって、このプレーヤタイプＡのマルチメディアプレーヤ１３４において、ディスク識別子が「ＣｈｉｒｉｓｔｍａｓＳｏｎｇ」であるカスタマイズ情報の実施の形態１が示すコンテンツの再生と同じコンテンツの再生が、マルチメディアプレーヤ１３４によって実行される。
【００９４】
（実施の形態２）
次に、本発明の実施の形態２では、前記本発明の実施の形態１と同じ多機能リモコン１２３を使い、ユーザが、装着したディスク記録媒体の名前として、操作部１２５を使って「ＣｈｉｒｉｓｔｍａｓＳｏｎｇ」と入力したことは同じであるが、このディスク記録媒体を装着したのが実施の形態１のマルチメディアプレーヤ１３４ではなく、マルチメディアプレーヤ１３５であり、更に、このマルチメディアプレーヤ１３５のプレーヤタイプが、マルチメディアプレーヤ１３４のプレーヤタイプＡではなく、プレーヤタイプＢであったケースを説明する。
【００９５】
この本発明の実施の形態２でも、ユーザが装着したディスク記録媒体の名前として、操作部１２５を使って「ＣｈｉｒｉｓｔｍａｓＳｏｎｇ」と入力すると、キー操作復元部１２７の再生情報選択部２２１は、制御部１２６が記憶しているカスタマイズ情報の実施の形態１から、そのディスク識別子が「ＣｈｉｒｉｓｔｍａｓＳｏｎｇ」であるカスタマイズ情報の実施の形態２を取り出し、このディスク記録媒体を再生した時のキー操作の履歴情報に基く情報からキー操作を復元することは本発明の実施の形態１と同じである。
【００９６】
更に又、ユーザは操作部１２５を使って、例えばマルチメディアプレーヤ１３５のプレーヤタイプＢを入力する。
【００９７】
この入力されたプレーヤタイプＢから、多機能リモコン１２３のキー操作復元部１２７のプログラムリスト再構築キー操作変換部２２２のプレーヤタイプ判断部２２４は、このキー操作の復元を行うのは、プレーヤタイプＢ変換部２２６であると判断し、プレーヤタイプＢ変換部に変換指示を行う。
【００９８】
そして多機能リモコン１２３のキー操作復元部１２７のプレーヤタイプＢ変換部が復元するキー操作は、前にマルチメディアプレーヤ１１３で行ったキー操作履歴に関する情報から、マルチメディアプレーヤ１１３で行った再生と同じ再生をプレーヤタイプＢのマルチメディアプレーヤ１３５で可能なキー操作で実現するように置き換えたものである。
【００９９】
この実施の形態２では、操作部１２５によって入力されたこのマルチメディアプレーヤ１３５のプレーヤタイプに関する情報から、このマルチメディアプレーヤ１３５のプレーヤタイプがＢであり、このプレーヤタイプＢでは、選択し再生するコンテンツのトラック番号をポップアップメニューで入力することが可能であることが解ったとする。
【０１００】
このポップアップメニューの表示形式の概要を図７（ａ）に示す。
【０１０１】
例えば、「再生モード」キーが押下されると、このポップアップメニューの最初の階層が開き、その最初の階層には図７（ａ）に示すように、「Ａ−Ｂリピート」、「プログラム」、「ランダム」のような各種再生方法が表示され、マウス操作又はカーソル操作によって、これらの中から１つを選択することができる。
【０１０２】
この実施の形態２では「プログラム」を選択すると、ポップアップメニューの第２の階層が開き、その第２の階層には図７（ａ）に示すように、「解除」、「設定」、「有効」、「全クリア」のような各種プログラムコマンドが表示され、マウス操作又はカーソル操作によって、これらの中から１つを選択することができる。
【０１０３】
この実施の形態２では「設定」を選択すると、ポップアップメニューの第３の階層が開き、その第３の階層には図７（ａ）に示すように、「トラック１」〜「トラック１７」のようにプログラム設定可能なオーディオコンテンツのトラック番号が表示され、マウス操作又はカーソル操作によって、これらの中から１つを選択することができる。
【０１０４】
このケースで、ディスク識別子が「ＣｈｉｒｉｓｔｍａｓＳｏｎｇ」であるカスタマイズ情報の実施の形態２を基に、キー操作復元部１２７のプレーヤタイプＢ変換部によって復元されるキー操作のリストを図７（ｂ）に示す。
【０１０５】
このカスタマイズ情報の実施の形態２から再生するコンテンツはそのトラック番号が１と９と１７のものであり、再生順序もトラック番号が１、９、１７の順であることが解る。
【０１０６】
そして前記の通り、このマルチメディアプレーヤ１３５では、選択し再生するコンテンツのトラック番号をポップアップメニューを開いて入力することが可能であるので、図７（ｂ）に示すキー操作によって、トラック番号１、９、１７のコンテンツがこの順番で再生され、ディスク識別子が「ＣｈｉｒｉｓｔｍａｓＳｏｎｇ」であるカスタマイズ情報が示す再生と同じ再生が実現される。
【０１０７】
このキー操作とは、「再生モードキー」によってポップアップメニューを開き、ポップアップメニューの最初の階層から「プログラム」を選択してプログラム再生モードを指定し、ポップアップメニューの第２の階層から「設定」を選択してプログラム再生モードで設定可能なトラック番号の表示を指定し、ポップアップメニューの第３の階層から「トラック１」を選択してプログラム再生モードで最初にトラック１のオーディオコンテンツの再生を指定する。
【０１０８】
次に、ポップアップメニューの最初の階層に戻り、「プログラム」を選択してプログラム再生モードを指定し、ポップアップメニューの第２の階層から「設定」を選択してプログラム再生モードで設定可能なトラック番号の表示を指定し、ポップアップメニューの第３の階層から「トラック９」を選択してプログラム再生モードで第２番目にトラック９のオーディオコンテンツの再生を指定する。
【０１０９】
再度、ポップアップメニューの最初の階層に戻り、「プログラム」を選択してプログラム再生モードを指定し、ポップアップメニューの第２の階層から「設定」を選択してプログラム再生モードで設定可能なトラック番号の表示を指定し、ポップアップメニューの第３の階層から「トラック１７」を選択してプログラム再生モードで第３番目にトラック１７のオーディオコンテンツの再生を指定する。
【０１１０】
最後に「再生」キーによって設定したトラック番号のオーディオコンテンツを順に再生する。
【０１１１】
以上のキー操作によって、このプレーヤタイプＢのマルチメディアプレーヤ１３５において、ディスク識別子が「ＣｈｉｒｉｓｔｍａｓＳｏｎｇ」であるカスタマイズ情報の実施の形態２が示すコンテンツの再生と同じコンテンツの再生が、マルチメディアプレーヤ１３５によって実行される。
【０１１２】
（実施の形態３）
本発明の実施の形態３は、前記本発明の実施の形態１と同じマルチメディアプレーヤ１１３を使い、ユーザが、前記本発明の実施の形態１のオーディオコンテンツではなく、画像コンテンツを再生し、その画像コンテンツをモニタ画面（図示せず）を使って視聴し、観賞するものである。
【０１１３】
前記の通り、このＤＶＤやＣＤには複数の画像コンテンツが記録されているので、ユーザはその記録されたコンテンツの中から自分の好みに応じて、適宜コンテンツを再生し、観賞することができるが、画像コンテンツは例えばデジタルカメラで撮影された時に、様々なカメラ方向で撮影されており、この種々の方向で撮影された画像を正しい方向で再生し、観賞するにはその画像を回転させ、正しい方向に設定することが必要になる。
【０１１４】
このように様々なカメラ方向で撮影された画像を、正しい方向に設定して再生・観賞する操作の例を図８〜図１３を使って説明する。
【０１１５】
図８はデジタルカメラで撮影された静止画像データ、例えばＪＰＥＧ形式の画像データが、最初にサムネイル表示（縮小一覧表示）された状態を示している。
【０１１６】
全部で静止画像は１６枚あり、１つの画面には６枚の縮小画像をサムネイル表示することができるので、３つの画面（それぞれ図８（ａ）、（ｂ）、（ｃ）で示される）によって全１６枚の画像が表示される。
【０１１７】
図８は、１６枚のそれぞれの画像の方向をも示している。各画像を示す長方形の中に付された番号の記されている方向が、それぞれの画像の方向を示している。各画像はデジタルカメラで撮影される時、縦長又は横長の画像として撮影される。
【０１１８】
横長の画像はデジタルカメラを正立の状態で撮影されたものであり、縦長の画像はデジタルカメラを正立の状態から左方向に９０度回転させて撮影したものと、右方向に９０度回転させて撮影されたものがある。
【０１１９】
最初、画像データは全て横長の画像として扱われ、この各画像を正立した状態で観賞するには撮影された時のデジタルカメラの向きに合わせて、画像データを回転させなければならない。
【０１２０】
全ての画像を正立するよう回転させた状態を図９に示す。図９の１６枚の画像に、縦長のものと横長のものが存在するのは、この回転を行ったからである。
【０１２１】
当初、この画像データをファイルから読み込んだ状態では図８に示すように全て横長の画像であるが、この回転を行うことによって初めて、図９に示すように全ての画像を本来観賞される時の方向である正立画像に変換することができる。
【０１２２】
この画像の回転を行うユーザインターフェースを図１０に示す。このユーザインターフェースには、表示画面を前後に切り替える「次ページ」と「前ページ」、１つのページ内で選択している画像を切り替える「カーソル右」、「カーソル左」、「カーソル上」、「カーソル下」、の４つのカーソル移動、選択されている画像を左方向に９０度回転させる「左９０度回転」、選択されている画像を右方向に９０度回転させる「右９０度回転」、選択されている画像を拡大表示しその画像を観賞・確認するための「拡大表示」、拡大表示した画面を閉じ、元のサムネイル表示画面に戻すための「閉じる」、この画像データの回転作業を終了する「終了」のスイッチを有している。
【０１２３】
これらの各スイッチは、それぞれに対応した押しボタン式のスイッチであっても構わないし、表示画面にこれらの内容が表示されその表示された部分をマウス等のポインティングデバイスで選択することによって選択入力する方式のスイッチであっても構わない。
【０１２４】
又、必ずしもこれら全てのスイッチが存在するとは限らず、一部は存在しなくても構わない。例えば画像を回転させるスイッチは、図１０では、左９０度回転と右９０度回転の２つが存在するが、例えば左９０度に回転させる１つのスイッチだけであっても構わない。このケースでは右に９０度回転させるにはこの左９０度に回転させるスイッチを３回操作することになる。
【０１２５】
或いは拡大表示と閉じるの２つのスイッチは、回転作業中にその画像を拡大表示して観賞・確認するだけのものであるから、必ずしもなくても構わない。
【０１２６】
又、次ページ、前ページのスイッチに関しても、例えばカーソル右のスイッチだけで、これ以上右の画像がなくなれば、即ち現在表示中の最も右端の画像をカーソルで選択した状態で、更にカーソル右のスイッチを操作すると自動的に次ページに進むようなケースでは、必ずしもこの次ページや前ページのスイッチはなくても構わない。
【０１２７】
又、これら以外の種々のスイッチや入力部や、表示部、出力部を有していても構わない。
【０１２８】
このように種々のインターフェースが有り得ることは、この画像を再生・観賞するプレーヤのタイプに応じてキー操作履歴を復元しなければならないことを意味し、本発明の課題でもある。
【０１２９】
この１６枚の画像データは、「ＷｉｎｔｅｒＦｌｏｗｅｒ」と言うディスク識別子の付されたＣＤ−Ｒ記録媒体（メディア）に記録されている。
【０１３０】
この記録媒体は前記の通りマルチメディアプレーヤ１１３によって再生される。このマルチメディアプレーヤ１１３のタイプ名は、「ＰａｎａＮｅｗ１００」である。
【０１３１】
又、このマルチメディアプレーヤ１１３の画像表示に使用するユーザインターフェースが図８と図９に示すものである。
【０１３２】
マルチメディアインターフェースのユーザインターフェースは他にも種々の表示部や入力部を有するが、それらは省略して説明に必要なものだけを表示している。
【０１３３】
この「ＷｉｎｔｅｒＦｌｏｗｅｒ」と言うディスク識別子の付されたＣＤ−Ｒをプレーヤタイプが「ＰａｎａＮｅｗ１００」であるマルチメディアプレーヤ１１３に装着し、画像の編集を開始すると（図１１、３０１）、図８（ａ）の画面が表示される（図１１、３０２）。
【０１３４】
これ以降の画像編集の手順を図１１に示す。
【０１３５】
前記の通りの準備をして、この画像編集を開始するには、「縮小表示キー（図示せず）」を押下する（図１１、３０１）。これによって上記の通り図８の画面（ａ）が開く（図１１、３０２）。この時、カーソルは最初の画像「１」を選択している（図１１、３０３）。
【０１３６】
最初の画像は、そのままで正立している画像であるから、回転させる必要はない。即ち回転角度は０度である。従ってこの画像については何も行わずにカーソル右キーを押下して（図１１、３０４）、カーソルを次の画像「２」に進める（図１１、３０５）。
【０１３７】
この画像は図８（ａ）からも解る通り本来縦長の画像であって、画像を回転させなければ正立画像にならない。
【０１３８】
この例では画像「２」は左に９０度回転させることによって正立画像にすることができるので、左９０度回転キーを押下する（図１１、３０６）。
【０１３９】
これによって図９（ａ）に示すように、画像「２」が縦長の画像になり、縮小表示されてはいるが、正立画像になったことを確認することはできる。
【０１４０】
しかしより確実に正立画像の様子を確認し、併せてその画像を観賞するために、拡大表示キーを押下する（図１１、３０７）。これによって画像「２」を本来の大きさで且つ正立画像として表示し（図１１、３０８）、画像を確認すると共に観賞することもできる。
【０１４１】
次に「閉じる」キーを押下すると（図１１、３０９）、この画像「２」を拡大表示している画面は閉じられ、元の縮小画像を６枚サムネイル表示している図８（ａ）の画面（但し、画像「２」だけは図９（ａ）に示すように縦長に回転された状態になっているが、図面記載を省略し、そのまま示す。以後同様であるので、改めで説明するのを省略する。）に戻る（図１１、３１０）。
【０１４２】
次にカーソル右キーを押下すると（図１１、３１１）、カーソルは右に移動し、図８（ａ）の画像「３」を選択する（図１１、３１２）。
【０１４３】
画像「３」は、そのままで正立している画像であるから、回転させる必要はない。即ち回転角度は０度である。従ってこの画像については何も行わずにカーソル右キーを押下して（図１１、３１３）、カーソルを次の画像「４」に進める（図１１、３１４）。
【０１４４】
図８（ａ）に示す通り、画像「３」は画面の右端にサムネイル表示された画像で、これ以上右には画像は存在せず、これ以上カーソルを右に移動させることはできず、意味がないとも思われる。
【０１４５】
しかしこのマルチメディアプレーヤ１１３では、カーソルが画面の右端にある時、更にカーソル右キーを押下するとカーソルは次の行（１段下の行）の左端の画像に移動するので、その機能を使って画像「３」から画像「４」にカーソルを移動させることができる。
【０１４６】
画像「４」は図８（ａ）からも解る通り本来縦長の画像であって、画像を回転させなければ正立画像にならない。
【０１４７】
この例では画像「４」は右に９０度回転させることによって正立画像にすることができるので、右９０度回転キーを押下する（図１１、３１５）。
【０１４８】
これによって図９（ａ）に示すように、画像「４」が縦長の画像になり、縮小表示されてはいるが、正立画像になったことを確認することはできる。
【０１４９】
次にカーソル右キーを押下すると（図１１、３１６）、カーソルは右に移動し、図８（ａ）の画像「５」を選択する（図１１、３１７）。
【０１５０】
画像「５」は、そのままで正立している画像であるから、回転させる必要はない。即ち回転角度は０度である。従ってこの画像については何も行わずにカーソル右キーを押下して（図１１、３１８）、カーソルを次の画像「６」に進める（図１１、３１９）。
【０１５１】
画像「６」は、そのままで正立している画像であるから、回転させる必要はない。即ち回転角度は０度である。従ってこの画像については何も行わずにカーソル右キーを押下して（図１１、３２０）、カーソルを次の画像「７」に進める（図１１、３２２）。
【０１５２】
図８（ａ）に示す通り、画像「６」は画面の右端にサムネイル表示された画像で、これ以上右には画像は存在せず、これ以上カーソルを右に移動させることはできず、意味がないとも思われるが、このマルチメディアプレーヤ１１３では、カーソルが画面の右端でしかも下段にある時、更にカーソル右キーを押下するとカーソルは次のページ（図８（ｂ）で示される）に移動し、更に次ページの上段左端に表示された最初の画像に移動するので、その機能を使い、カーソル右キーを押下することによって、画像「６」から、次ページ（図８（ｂ）で示される）を表示させる（図１１、３２１）と共に画像「７」にカーソルを移動させることができる（図１１、３２２）。
【０１５３】
画像「７」は図８（ｂ）からも解る通り縦長の画像であって、画像を回転させなければ正立画像にならない。
【０１５４】
この例では画像「７」は左に９０度回転させることによって正立画像にすることができるので、左９０度回転キーを押下する（図１１、３２３）。
【０１５５】
これによって図９（ｂ）に示すように、画像「７」が縦長の画像になり、縮小表示されてはいるが、正立画像になったことを確認することはできる。
【０１５６】
次にカーソル右キーを押下すると（図１１、３２４）、カーソルは右に移動し、図８（ｂ）の画像「８」を選択する（図１１、３２５）。
【０１５７】
画像「８」は、そのままで正立している画像であるから、回転させる必要はない。即ち回転角度は０度である。従ってこの画像については何も行わずにカーソル右キーを押下して（図１１、３２６）、カーソルを次の画像「９」に進める（図１１、３２７）。
【０１５８】
画像「９」は、そのままで正立している画像であるから、回転させる必要はない。即ち回転角度は０度である。従ってこの画像については何も行わずにカーソル右キーを押下して（図１１、３２８）、カーソルを次の画像「１０」に進める（図１１、３２９）。
【０１５９】
このケースでカーソルが上段右端の画像「９」から、下段左端の画像「１０」に移動することは上記の通りである。
【０１６０】
画像「１０」は、そのままで正立している画像であるから、回転させる必要はない。即ち回転角度は０度である。従ってこの画像については何も行わずにカーソル右キーを押下して（図１１、３３０）、カーソルを次の画像「１１」に進める（図１１、３３１）。
【０１６１】
画像「１１」は図８（ｂ）からも解る通り縦長の画像であって、画像を回転させなければ正立画像にならない。
【０１６２】
この例では画像「１１」は左に９０度回転させることによって正立画像にすることができるので、左９０度回転キーを押下する（図１１、３３２）。
【０１６３】
これによって図９（ｂ）に示すように、画像「１１」が縦長の画像になり、縮小表示されてはいるが、正立画像になったことを確認することはできる。
【０１６４】
次にカーソル右キーを押下すると（図１１、３３３）、カーソルは右に移動し、図８（ｂ）の画像「１２」を選択する（図１１、３３４）。
【０１６５】
画像「１２」は、そのままで正立している画像であるから、回転させる必要はない。即ち回転角度は０度である。従ってこの画像については何も行わずにカーソル右キーを押下して（図１１、３３５）、カーソルを次の画像「１３」に進める（図１１、３３７）。
【０１６６】
このケースでカーソル右キーによって次ページが開き（図１１、３３６）、カーソルが下段右端の画像「１２」から、次ページの上段左端の画像「１３」に移動する（図１１、３３７）ことは上記の通りである。
【０１６７】
画像「１３」は、そのままで正立している画像であるから、回転させる必要はない。即ち回転角度は０度である。従ってこの画像については何も行わずにカーソル右キーを押下して（図１１、３３８）、カーソルを次の画像「１４」に進める（図１１、３３９）。
【０１６８】
画像「１４」は、そのままで正立している画像であるから、回転させる必要はない。即ち回転角度は０度である。従ってこの画像については何も行わずにカーソル右キーを押下して（図１１、３４０）、カーソルを次の画像「１５」に進める（図１１、３４１）。
【０１６９】
画像「１５」は図９（ｃ）からも解る通り縦長の画像であって、画像を回転させなければ正立画像にならない。
【０１７０】
この例では画像「１５」は右に９０度回転させることによって正立画像にすることができるので、右９０度回転キーを押下する（図１１、３４２）。
【０１７１】
これによって図９（ｃ）に示すように、画像「１５」が縦長の画像になり、縮小表示されてはいるが、正立画像になったことを確認することはできる。
【０１７２】
次にカーソル右キーを押下すると（図１１、３４３）、カーソルは右に移動し、図８（ｃ）の画像「１６」を選択する（図１１、３４４）。
【０１７３】
このケースでカーソルが上段右端の画像「１５」から、下段左端の画像「１６」に移動することは上記の通りである。
【０１７４】
画像「１６」は図９（ｃ）からも解る通り縦長の画像であって、画像を回転させなければ正立画像にならない。
【０１７５】
この例では画像「１６」は左に９０度回転させることによって正立画像にすることができるので、左９０度回転キーを押下する（図１１、３４５）。
【０１７６】
これによって図９（ｃ）に示すように、画像「１６」が縦長の画像になり、縮小表示されてはいるが、正立画像になったことを確認することはできる。
【０１７７】
以上の操作で１６枚全ての画像を正立画像にすることができたので、「終了キー（図１０）」を押下することによって、この画像編集が終了する。
【０１７８】
以上説明した操作によって、図１３（ａ）に示す、キー操作の履歴情報が作成される。このキー操作の履歴情報は、本発明に係る操作の履歴に関する情報の実施の形態３であり、このキー操作の履歴情報を作成するのも図１に示すマルチメディアプレーヤ１１３の制御部１１６である。
【０１７９】
この履歴情報は、前記図１１に示した操作の流れで行われたキー操作から、画像の向きを復元するのに不要なキー操作、即ち例えば画像「２」について行われた拡大表示等のキー操作を省略したものである。
【０１８０】
或いは、この図１１に示したキー操作には含まれていないが、例えばカーソルの不要な移動、例えば一旦右へカーソル移動して続けて左へカーソル移動し、元のカーソル位置に戻るようなカーソル移動がもしも行われたとすると、そのようなキー操作も省略される。
【０１８１】
このキー操作の履歴情報に基いて、本発明に係るカスタマイズ情報が、図１に示すマルチメディアプレーヤ１１３のカスタマイズ情報作成部１１７によって作成される。
【０１８２】
このカスタマイズ情報の実施の形態を、図１２のＮｏが１の行に示す。
【０１８３】
この図１２のＮｏが１の行に示すカスタマイズ情報の実施の形態は、マルチメディアプレーヤ１１３の再生部１１４で再生されたのは「ＷｉｎｔｅｒＦｌｏｗｅｒ」と言うディスク識別子が付されたディスク記録媒体であり、そのディスク記録媒体の種別はＣＤ−Ｒ（書き込み可能ＣＤ）であり、このカスタマイズ情報が登録された年月日、カスタマイズ情報の登録に使われたマルチメディアプレーヤ１１３の機種タイプを示す情報、この記録媒体に記録された画像数、各画像の回転方向、以上の情報から構成されている。
【０１８４】
このようにして作成されたカスタマイズ情報の実施の形態は、操作部１１５で行われる所定の操作に従い、制御部１１６の制御によって、カスタマイズ情報作成部１１７からＳＤカードインターフェース１１８を経て、ＳＤカード１１９に書き込まれる。
【０１８５】
但し、ＳＤカード１１９に書き込まれるカスタマイズ情報の実施の形態は、図１２のＮｏが１の行に示す１つのディスク記録媒体のコンテンツ再生時のキー操作の履歴情報に基く情報だけであるとは限らず、例えば図１２のＮｏが２の行に示すような、複数のディスク記録媒体のコンテンツ再生時のキー操作の履歴情報に基く情報を含む時には、これら複数の情報の全て又は一部がＳＤカード１１９に書き込まれる実施の形態もあることは前記の通りである。
【０１８６】
又、前記カスタマイズ情報を書き込むＳＤカード１１９は本発明に係る情報記録媒体の実施の形態であるが、本発明に係る情報記録媒体は必ずしもＳＤカードであることは必要でなく、他の種々の方法で情報を記録することのできる媒体であるならば、どのようなものであっても構わないことも前記の通りである。
【０１８７】
このカスタマイズ情報の実施の形態１が記録されたＳＤカード１１９は、多機能リモコン１２３のＳＤカードインターフェース１２８に装着され、ＳＤカード１１９に記録されたカスタマイズ情報の実施の形態１が多機能リモコン１２３の制御部１２６によって読み出され、記憶される。
【０１８８】
この多機能リモコン１２３は本発明の端末装置の実施の形態である。
【０１８９】
既に本発明の実施の形態１、本発明の実施の形態２で説明したのと同様に、前記多機能リモコン１２３のＳＤカードインターフェース１２８に前記カスタマイズ情報が記録されたＳＤカード１１９を装着し、多機能リモコン１２３の制御部１２６が、このカスタマイズ情報の実施の形態３を読み出し、そのカスタマイズ情報の実施の形態３が示す画像編集時のキー操作の履歴情報に基く情報から、多機能リモコン１２３のキー操作復元部１２７が、そのキー操作によって行われた画像編集と同じ画像編集を前記他の映像音声再生装置の実施の形態であるマルチメディアプレーヤによって行うためのキー操作を復元し、その復元したキー操作のリストを通信部１２４からマルチメディアプレーヤに送ることによって、その復元したキー操作が示す内容の再生を行わせることができる。
【０１９０】
多機能リモコン１２３において、このキー操作の復元を主として行うのは、図２に示すキー操作復元部１２７のプレーヤタイプＤ変換部２３５及びプレーヤタイプＥ変換部２３６である。
【０１９１】
この実施の形態では、ユーザが前にマルチメディアプレーヤ１１３を使い、全ての画像を正立画像に設定した結果を、他の映像音声再生装置の実施の形態であるマルチメディアプレーヤでもそのまま利用して再生し、何も操作しなくても全ての画像を正立の状態で順次表示し観賞することができる。
【０１９２】
しかしこれを行うには、ユーザは操作部１２５を使って、例えばマルチメディアプレーヤに装着したディスク記録媒体の名前を入力しなければならない。
【０１９３】
例えばユーザが、マルチメディアプレーヤに装着したディスク記録媒体の名前として、操作部１２５を使って「ＷｉｎｔｅｒＦｌｏｗｅｒ」と入力すると、キー操作復元部１２７の再生情報選択部２２１は、制御部１２６が記憶しているカスタマイズ情報の実施の形態３から、そのディスク識別子が「ＷｉｎｔｅｒＦｌｏｗｅｒ」であるカスタマイズ情報の実施の形態３を取り出し、このディスク記録媒体を再生した時のキー操作の履歴情報に基く情報からキー操作を復元する。
【０１９４】
更に又、ユーザは操作部１２５を使って、例えばマルチメディアプレーヤのプレーヤタイプを入力しなければならない。
【０１９５】
ディスク識別子が「ＷｉｎｔｅｒＦｌｏｗｅｒ」であるカスタマイズ情報から前に画像編集を行った時と同じ編集を行うキー操作を復元するには、その再生を行うプレーヤのタイプが解ることが必要だからである。
【０１９６】
例えば、ユーザが操作部１２５を使って、今回再生を行うマルチメディアプレーヤのプレーヤタイプを「ＰａｎａＮｅｗ１００」と入力したならば、前に画像編集を行ったマルチメディアプレーヤ１１３と今回再生を行うマルチメディアプレーヤは同じタイプのマルチメディアプレーヤであるから、マルチメディアプレーヤ１１３による画像編集時と同じキー操作を復元すれば良い。
【０１９７】
しかしこのケースであっても、不必要なキー操作は復元する必要がないことは、既に前記の通りである。
【０１９８】
このようにマルチメディアプレーヤのタイプを判断するのは、図２に示す表示方向再構築キー操作変換部２３２のプレーヤタイプ判断部２３４である。
【０１９９】
そして判断された各プレーヤのタイプに対応したキー操作の復元を行うのは、プレーヤタイプＤ変換部２３５、プレーヤタイプＥ変換部２３６、その他である。
【０２００】
プレーヤタイプ判断部２３４が、ユーザが操作部１２５を使って入力したプレーヤタイプに関する情報からこのプレーヤタイプの判断を行い、その結果プレーヤタイプＤと判断されたならば、プレーヤタイプＤ変換部２３５にキー操作の復元を行うよう指示を行い、プレーヤタイプＥと判断されたならば、プレーヤタイプＥ変換部２３６にキー操作の復元を行うよう指示を行う。
【０２０１】
前記の通り、キー操作復元部１２７には、プログラムリスト再構築キー操作変換部２２２と、表示方向再構築キー操作変換部２３２が含まれ、画像コンテンツの再生時の表示方向を編集するキー操作の復元を行うのは、表示方向再構築キー操作変換部２３２である。
【０２０２】
そして例えばこの本発明の実施の形態３では、操作部１２５によって入力されたこのマルチメディアプレーヤ１３４のプレーヤタイプに関する情報から、このプレーヤタイプでは、表示する画像の方向角度を直接数値で入力することが可能であったとする。
【０２０３】
このケースで、ディスク識別子が「ＷｉｎｔｅｒＦｌｏｗｅｒ」であるカスタマイズ情報の実施の形態３を基に、キー操作復元部１２７によって復元されるキー操作のリストを図１３（ｃ）に示す。
【０２０４】
このキー操作では、表示する画像の角度を直接入力することが可能なので、復元されるキー操作のリストは、表示される「ＷｉｎｔｅｒＦｌｏｗｅｒ」に含まれる１６枚の画像の表示角度を順に並べたものになる。
【０２０５】
尚、当初の横長画像から左に９０度回転させる画像は、表示角度９０、右方向に９０度回転させる画像は２７０度と入力される。
【０２０６】
通常、横長画像を、カメラをひっくり返してサカサマに撮影することはほとんど有り得ないと思われるので、１８０と言う表示角度はない。しかし縦長画像は、カメラを左に９０度回転させて撮影することと、右に９０度回転させて撮影することは有り得るので、表示角度９０と２７０は両方存在する。
【０２０７】
この表示角度を直接入力するキー操作によって、このプレーヤタイプのマルチメディアプレーヤにおいて、ディスク識別子が「ＷｉｎｔｅｒＦｌｏｗｅｒ」である画像は全て正立画像として表示され、観賞することができる。
【０２０８】
（実施の形態４）
本発明の実施の形態４では、前記実施の形態３と同じ、画像コンテンツであるディスク識別子が「ＷｉｎｔｅｒＦｌｏｗｅｒ」である記録媒体に記録された画像が、同じマルチメディアプレーヤ１１３によって表示方向の編集が行われ、同じカスタマイズ情報である図１２のＮｏ「１」に示すものが作成されたとする。
【０２０９】
このカスタマイズ情報がＳＤカード１１９を経由して多機能リモコン１２３の制御部１２６に読み込まれることも前記実施の形態３と同様である。
【０２１０】
只この実施の形態４が、前記実施の形態３と異なるのは、この画像コンテンツを再生するためのマルチメディアプレーヤのプレーヤタイプが異なることのみである。
【０２１１】
この実施の形態４では、操作部１２５から入力されたプレーヤタイプに関する情報から、プレーヤタイプ判断部２３４が判断した結果、このプレーヤタイプでは、前記このカスタマイズ情報を作成した、前記マルチメディアプレーヤ１１３と同一のキー操作によって、画像の角度を設定し、画像を表示させ、画像を観賞することが可能であることが解ったとする。
【０２１２】
このケースで、キー操作復元部１２７が復元するキー操作のリストは、前記マルチメディアプレーヤ１１３でのキー操作の履歴、但し前記の通り不要なキー操作は省略した後のキー操作の履歴と同一であり、図１３（ａ）で示される。
【０２１３】
この図１３（ａ）に示す、前記マルチメディアプレーヤ１１３での画像編集操作のキー操作履歴と同一キー操作が復元されることによって、この実施の形態４のプレーヤタイプのマルチメディアプレーヤにおいて、ディスク識別子が「ＷｉｎｔｅｒＦｌｏｗｅｒ」である画像は全て正立画像として表示され、観賞することができる。
【０２１４】
（実施の形態５）
本発明の実施の形態５では、前記実施の形態３と同じ、画像コンテンツであるディスク識別子が「ＷｉｎｔｅｒＦｌｏｗｅｒ」である記録媒体に記録された画像が、同じマルチメディアプレーヤ１１３によって表示方向の編集が行われ、同じカスタマイズ情報である図１２のＮｏ「１」に示すものが作成されたとする。
【０２１５】
このカスタマイズ情報がＳＤカード１１９を経由して多機能リモコン１２３の制御部１２６に読み込まれることも前記実施の形態３と同様である。
【０２１６】
只この実施の形態５が、前記実施の形態３と異なるのは、この画像コンテンツを再生するためのマルチメディアプレーヤのプレーヤタイプが異なることのみである。
【０２１７】
この実施の形態５では、操作部１２５から入力されたプレーヤタイプに関する情報から、プレーヤタイプ判断部２３４が判断した結果、このプレーヤタイプでは、前記このカスタマイズ情報を作成した、前記マルチメディアプレーヤ１１３とは異なり、例えば、カーソルがあるページの下段の右端の画像を選択した状態であっても、カーソル右キーで次ページの画面が開くことはなく、次ページの画面を開くには「次ページキー」を操作することが必要であり、又カーソルがあるページの上段の右端の画像を選択した状態であっても、カーソル右キーで下段の左端にカーソルが移動することはなく、このケースでカーソルを下段の左端に移動させるにはカーソル下キーを操作し、続けてカーソル左キーを２回操作しなければならないことである。
【０２１８】
この実施の形態５で、キー操作復元部１２７が復元するキー操作のリストは、図１３（ｂ）で示される。
【０２１９】
この図１３（ｂ）に示す、キー操作が復元されることによって、この実施の形態５のプレーヤタイプのマルチメディアプレーヤにおいて、ディスク識別子が「ＷｉｎｔｅｒＦｌｏｗｅｒ」である画像は全て正立画像として表示され、観賞することができる。
【０２２０】
（実施の形態６）
本発明の実施の形態６について図１４と図１５を使って説明する。
【０２２１】
図１４は本発明の実施の形態６である、映像音声再生システムのブロック構成図であり、図１５は本発明の映像音声再生システムの実施の形態６を構成するサーバ１３３３のブロック構成図である。
【０２２２】
このサーバ１３３３は本発明のサーバ装置の実施の形態でもあり、本発明の映像音声再生システムの実施の形態と本発明のサーバ装置の実施の形態を合わせて以下に説明する。
【０２２３】
本発明の実施の形態６である映像音声再生システムは図１４に示すように、複数のマルチメディアプレーヤ、具体的にはマルチメディアプレーヤ１３１３とマルチメディアプレーヤ１３２３とが、ネットワーク１３４０を介してサーバ１３３３と接続された構成をしている。
【０２２４】
ネットワーク１３４０は例えば家庭内ＬＡＮであるが、その他例えば企業内で業務用に使われるようなＬＡＮであっても良いし、例えば学内ネットワークやＣＡＴＶのようなネットワークであっても良いし、インターネット等の広域ネットワークであっても良い。
【０２２５】
マルチメディアプレーヤ１３１３とマルチメディアプレーヤ１３２３は多くの点に関して本発明の実施の形態１又は本発明の実施の形態３のマルチメディアプレーヤ１１３（その構成は図１に示す）と同一であるから、同一の点については説明を省略し、異なる点に関してのみ説明する。
【０２２６】
マルチメディアプレーヤ１３１３とマルチメディアプレーヤ１３２３とは、マルチメディアプレーヤ１１３が有していたカスタマイズ情報作成部１１７とＳＤカードインターフェース１１８とを有しておらず、通信部１３１４と通信部１３２４とを有している。
【０２２７】
従って、マルチメディアプレーヤ１３１３又はマルチメディアプレーヤ１３２３を使って、オーディオコンテンツ又は画像コンテンツの再生が行われると、そのキー操作履歴が作成されることまでは、マルチメディアプレーヤ１３１３又はマルチメディアプレーヤ１３２３はマルチメディアプレーヤ１１３と同じであるが、そのキー操作履歴に基いてカスタマイズ情報を作成することはなく、作成したカスタマイズ情報をＳＤカードインターフェースを介してＳＤカードに書き込むことも行うことはない。
【０２２８】
マルチメディアプレーヤ１３１３又はマルチメディアプレーヤ１３２３を使って、オーディオコンテンツ又は画像コンテンツの再生が行われると、そのキー操作履歴が作成され、作成されたキー操作履歴情報は通信部１３１４又は通信部１３２４を介し、ネットワーク１３４０を経由してサーバ１３３３に送られる。
【０２２９】
本発明の実施の形態６では、本発明の実施の形態１又は本発明の実施の形態３でマルチメディアプレーヤ１１３が有していたカスタマイズ情報作成部１１７と同様のカスタマイズ情報作成部１３３７をサーバ１３３３が有している。
【０２３０】
サーバ１３３３は、マルチメディアプレーヤ１３１３又はマルチメディアプレーヤ１３２３が送出したキー操作履歴情報をネットワーク１３４０を経由し、通信部１３３４を使って受信する。
【０２３１】
サーバ１３３３は、通信部１３３４によって受信したキー操作履歴情報を制御部１３３６に記憶し、カスタマイズ情報作成部１３３７に送り出す。
【０２３２】
カスタマイズ情報作成部１３３７は、このキー操作履歴情報を受け取り、カスタマイズ情報を作成する。
【０２３３】
このカスタマイズ情報は、本発明の実施の形態１から本発明の実施の形態５で説明したものと同じであり、図５又は図１２に示される。
【０２３４】
作成されたカスタマイズ情報はカスタマイズ情報作成部１３３７に記憶される。但し、作成されたカスタマイズ情報は制御部１３３６に記憶される実施の形態でも構わない。
【０２３５】
オーディオコンテンツ又は画像コンテンツが再生される時には、サーバ１３３３の操作部１３３５によって再生しようとするマルチメディアプレーヤ、例えばマルチメディアプレーヤ１３１３又はマルチメディアプレーヤ１３２３のプレーヤタイプを入力する。
【０２３６】
例えばこのプレーヤタイプとして、「プレーヤタイプＡ」、「プレーヤタイプＢ」、「プレーヤタイプＤ」、「プレーヤタイプＥ」と入力されると、サーバ１３３３のキー操作復元部１３３８のプログラムリスト再構築キー操作変換部１４２２のプレーヤタイプ判断部１４２４がプレーヤタイプを判断し、プレーヤタイプＡ変換部１４２５やプレーヤタイプＢ変換部１４２６が、それぞれのプレーヤタイプのマルチメディアプレーヤで元の操作と同一の操作を再現するキー操作を復元するか、或いは、表示方向再構築キー操作変換部１４３２のプレーヤタイプ判断部１４３４がプレーヤタイプを判断し、プレーヤタイプＤ変換部１４３５やプレーヤタイプＥ変換部１４３６が、それぞれのプレーヤタイプのマルチメディアプレーヤで元の操作と同一の操作を再現するキー操作を復元する。
【０２３７】
この復元されるキー操作情報については、既に説明したもの（図６（ａ）、図６（ｂ）、図７（ｂ）、図１３（ａ）、図１３（ｂ）、図１３（ｃ）に示す）と同一であるから説明を省略する。
【０２３８】
次に再生しようとするマルチメディアプレーヤを特定する情報を、サーバ１３３３の操作部１３３５によって入力する。
【０２３９】
マルチメディアプレーヤを特定する情報とは、例えばマルチメディアプレーヤ１３１３やマルチメディアプレーヤ１３２３のネットワーク１３４０上でのアドレスである。
【０２４０】
しかしながらこのマルチメディアプレーヤを特定する情報は、必ずしもネットワーク１３４０上でのアドレスであることは必要ではなく、ネットワーク１３４０に接続された機器を識別するために付された名称であっても良いし、その他の何等かの識別記号であっても良い。
【０２４１】
サーバ１３３３は、この再生に使われるマルチメディアプレーヤを特定する情報が入力されると、その特定されるマルチメディアプレーヤに、前記復元したキー操作情報を、通信部１３３４からネットワーク１３４０を経由して送信する。
【０２４２】
前記特定されたマルチメディアプレーヤ、例えばマルチメディアプレーヤ１３２３は、前記送信されたキー操作情報を、ネットワーク１３４０から通信部１３２４によって受信する。
【０２４３】
更に、マルチメディアプレーヤ１３２３は、受信したキー操作情報を制御部１３２６に記憶する。
【０２４４】
マルチメディアプレーヤ１３２３の再生部１３２７に、再生しようとするコンテンツが記録されたメディアが装着され、前記キー操作情報に従って再生することが操作部１３２５からの操作入力によって指示されると、マルチメディアプレーヤ１３２３は、制御部１３２６が記憶しているキー操作情報を読み出し、その内容に従って、再生部１３２７に装着されているメディアの再生を行う。
【０２４５】
このようにして、元のマルチメディアプレーヤで再生されたのと同じ再生を、他のマルチメディアプレーヤでも実行することができる。
【０２４６】
【発明の効果】
以上説明したように、本発明によれば、個人が家庭でマルチメディアコンテンツが記録されたマルチメディアを視聴して楽しんだ時に、その視聴履歴から自動的にその個人の嗜好を抽出し、その個人の嗜好に合わせたプレイリストを自動的に作成し、そのマルチメディアを他の機種の再生装置でも同様に、自分の嗜好に合わせた楽しみ方を自動的に行うことができる。
【０２４７】
又、これらの自分の嗜好に合わせて作成したプレイリストを、携帯電話等のパーソナルで且つ自由に持ち運びが可能な機器に記憶させて保管し、例えばこの携帯電話に記憶保管しているプレイリストを外出先、例えば友人宅や宿泊先のホテル等で読み出し、その友人宅やホテルにある異なる機種の再生装置でも、そのプレイリストに従ってマルチメディアコンテンツの再生を行うことができる。
【０２４８】
或いは、必ずしもプレイリストを記録媒体に記録して持ち運ぶのではなく、サーバに記録させ、それをネットワークを経由して読み出し、他の場所でもそのプレイリストに従ってマルチメディアコンテンツの再生を行うことができる。
【０２４９】
以上のように本発明の技術的効果は極めて大きい。
【図面の簡単な説明】
【図１】本発明の端末装置の実施の形態１である多機能リモコン１２３のブロック構成と使用状態を示す図
【図２】本発明の端末装置の実施の形態１である多機能リモコン１２３においてキー操作の復元を主として行うキー操作復元部１２７の詳細なブロック構成図
【図３】マルチメディアプレーヤ１１３を使って好みのコンテンツを選択し好みの順番に視聴する操作の例を示す流れ図
【図４】マルチメディアプレーヤ１１３を使って好みのコンテンツを選択し好みの順番に視聴する操作時の表示部に表示される画面の例を示す図
【図５】マルチメディアプレーヤ１１３のカスタマイズ情報作成部１１７によって作成されるカスタマイズ情報の実施の形態１を示す図
【図６】本発明の実施の形態１におけるキー操作履歴情報を示す図
【図７】本発明の実施の形態２における画面表示とキー操作履歴情報を示す図
【図８】本発明の実施の形態３における画像データが最初にサムネイル表示された状態を示す図
【図９】本発明の実施の形態３における画像データをキー操作によって正立した後に表示される状態を示す図
【図１０】本発明の実施の形態３において画像の回転を行うユーザインターフェースを示す図
【図１１】本発明の実施の形態３において画像編集の手順を示す流れ図
【図１２】本発明の実施の形態３において作成されるカスタマイズ情報の例を示す図
【図１３】本発明の実施の形態３と実施の形態４と実施の形態５におけるキー操作履歴情報を示す図
【図１４】本発明の実施の形態６である映像音声再生システムのブロック構成図
【図１５】本発明のサーバ装置の実施の形態であるサーバ１３３３のブロック構成図
【図１６】従来の映像音声再生システムの一実施の形態を含むデータ送出装置を含むＣＡＴＶサービス全体のシステム構成図
【図１７】従来の映像音声再生システムで使用されるプレイリストの例を示す図
【符号の説明】
１１３，１３４，１３５，１３１３，１３２３  マルチメディアプレーヤ
１１４，１３１７，１３２７  再生部
１１５，１２５，１３１５，１３２５，１３３５  操作部
１１６，１２６，１３１６，１３２６，１３３６  制御部
１１７，１３３７  カスタマイズ情報作成部
１１８，１２８  ＳＤカードインターフェース
１１９  ＳＤカード
１２３  多機能リモコン
１２４，１３１４，１３２４，１３３４  通信部
１２７，１３３８  キー操作復元部
２２１，１４２１  再生情報選択部
２２２，１４２２  プログラムリスト再構築キー操作変換部
２２４，２３４，１４２４，１４３４  プレーヤタイプ判断部
２２５，１４２５  プレーヤタイプＡ変換部
２２６，１４２６  プレーヤタイプＢ変換部
２２７，１４２７  プレーヤタイプＣ変換部
２３５，１４３５  プレーヤタイプＤ変換部
２３６，１４３６  プレーヤタイプＥ変換部
２３２，１４３２  表示方向再構築キー操作変換部
９１０  親局
９１２，９２２  ＰＣ
９１３，９２３  モニタ
９１４，９２４  ビデオサーバ
９１５，９２５  ヘッドエンド
９１６，９２６  ルータ
９１７，９２７  ＬＡＮ
９２０，９３０，９４０，９５０，９６０  支局
９７０  広域ネットワーク
９７２，９７３  ＣＡＴＶネットワーク
１３３３  サーバ
１３４０  ネットワーク
【図１】
2005004936.tif 000003
【図２】
2005004936.tif 000004
【図３】
2005004936.tif 000005
【図４】
2005004936.tif 000006
【図５】
2005004936.tif 000007
【図６】
2005004936.tif 000008
【図７】
2005004936.tif 000009
【図８】
2005004936.tif 000010
【図９】
2005004936.tif 000011
【図１０】
2005004936.tif 000012
【図１１】
2005004936.tif 000013
【図１２】
2005004936.tif 000014
【図１３】
2005004936.tif 000015
【図１４】
2005004936.tif 000016
【図１５】
2005004936.tif 000017
【図１６】
2005004936.tif 000018
【図１７】
2005004936.tif 000019